(57)【要約】【課題】本発明は、吹出し口に備えられ熱交換空気の吹出し方向を案内する水平ルーバおよび縦ルーバを脱着自在として、メンテナンス作業の容易化による作業効率の向上化を図った空気調和装置を提供する。【解決手段】ユニット本体１は吸込み口２と吹出し口３を備え、吹出し口に水平ルーバ１３を回動自在に支持し、この水平ルーバの両側端部に支軸５２を設け、吹出し口の一側部に水平ルーバ支軸の一方を脱着自在に支持する軸受け部７０を設け、吹出し口の他側部に他方の水平ルーバ支軸に連結されて支軸とともに水平ルーバを回動駆動する駆動装置６０を設け、この駆動装置に対して水平ルーバ支軸は脱着自在に連結される。【選択図】      図９
2005164075.tif 000002
【特許請求の範囲】
【請求項１】
吸込み口と吹出し口を備えたユニット本体と、
このユニット本体の上記吹出し口に回動自在に支持される水平ルーバと、
この水平ルーバの両側端部に設けられる支軸と、
上記吹出し口の一側部に設けられ、上記水平ルーバ支軸の一方を脱着自在に支持する軸受け部と、
上記吹出し口の他側部に設けられ、水平ルーバ支軸に連結されて支軸とともに水平ルーバを回動駆動する駆動装置とを有し、
上記駆動装置に対して水平ルーバの他方の支軸は脱着自在に連結されることを特徴とする空気調和装置。
【請求項２】
上記駆動装置は、ユニット本体に対して脱着自在に取付けられるケース部と、このケース部内に収容される複数のギヤからなる駆動機構と、上記ケース部に取付けられ上記駆動機構を駆動するモータとからなることを特徴とする請求項１記載の空気調和装置。
【請求項３】
少なくとも一面が断熱材で囲まれる吹出し口を備えるとともに、内部に熱交換器と、この熱交換器の下部にドレン受けが配置されるユニット本体と、
このユニット本体の上記吹出し口に設けられる水平ルーバおよび縦ルーバとを具備した空気調和装置において、
上記ドレン受けに取付けられる水平ルーバ支持具と、
この水平ルーバ支持具に回動自在に支持される水平ルーバとを備え、
上記水平ルーバ支持具は、吹出し口の一面である断熱材を支持する支持用台座と、
この支持用台座に連設され上記断熱材に挿入される挿入部を有することを特徴とする空気調和装置。
【請求項４】
上記縦ルーバは、上記ドレン受けに取付けられる縦ルーバ支持板に支持され、
この縦ルーバ支持板は、縦ルーバの取付け向きを指定する位置決め手段を備えるとともに、上記ドレン受けに対して脱着自在に取付けられることを特徴とする請求項１ないし請求項３のいずれかに記載の空気調和装置。
【発明の詳細な説明】
【技術分野】
【０００１】
本発明は、吹出し口に取付けられ熱交換空気の吹出し方向を案内する水平ルーバおよび縦ルーバの取付け構造を改良した、たとえば天吊り形の室内ユニットである空気調和装置に関する。
【背景技術】
【０００２】
室内ユニットと室外ユニットから構成される空気調和装置において、いわゆる壁掛け形の室内ユニットのように壁面から突出するものではなく、ほとんど天井板と密着状態にして取付けられ圧迫感を感じさせることのない天井吊り形の室内ユニットを備えた空気調和装置が多用されている。  
この種の室内ユニットは、筐体であるユニット本体の厚さ方向（高さ方向）の寸法を可能な限り短縮して、より圧迫感の少ない形状とする要求がある反面、幅方向（水平方向）には寸法的な制約が比較的少ない。そのため、天井面に沿った広い範囲から熱交換空気を吹出すことで、熱交換作用の効率向上化を図っている。
【０００３】
熱交換空気の吹出し方向を案内するため、この種の天井吊り形空気調和装置の吹出し口には、たとえば［特許文献１］に示されるように、水平ルーバ（横羽根）および縦ルーバ（縦羽根）が取付けられている。  
たとえば［特許文献２］には、吹出し口に２枚の水平ルーバ（第一風向変更板と第二風向変更板）を備えて、これら水平ルーバの軸に同一の駆動装置を連結し、２枚の水平ルーバを同時に回動駆動する構成が開示されている。
【特許文献１】特開平１１−１０１４６３号公報
【特許文献２】特開２００３−１３０４４１号公報
【発明の開示】
【発明が解決しようとする課題】
【０００４】
このようにして、吹出し口に水平ルーバおよび縦ルーバが取付けられているので、熱交換空気の吹出し方向を確実に得られる。その一方で、吹出し口周面に室内に浮遊する塵埃が付着し易く、ある程度期間使用すると汚れが目立ち美観を損なうばかりか健康的でない。そのため吹出し口の周面は勿論のこと、水平ルーバおよび縦ルーバに付着する塵埃を除去するメンテナンス作業が必要となるし、ユニット本体の取付け位置が高所であるので、容易に作業できる構成としなければならない。  
通常、水平ルーバは非使用時において吹出し口を閉成するようになっているので、水平ルーバがユニットの表面側であり、メンテナンス作業者にとって手前側に設けられ、縦ルーバは水平ルーバの奥側に設けられている。したがって、少なくとも水平ルーバは脱着自在とし、できれば縦ルーバも脱着自在な構成にして、それそれのルーバを取外ししてから低所で塵埃の除去作業をできれば都合がよい。
【０００５】
ところが、上述した［特許文献１］では水平ルーバおよび縦ルーバともに、脱着可能とすることの記載がなく、図面上で判断する範囲では取外しができない構成となっている。そのため、水平ルーバの表面側での塵埃除去作業ができたとしても、水平ルーバの裏面側および縦ルーバに対する塵埃除去作業はほとんどできない。  
［特許文献２］においては、水平ルーバに係る記載のみで縦ルーバに係る記載が全くなく、縦ルーバが存在しているか否か不明である。そして、水平ルーバを脱着可能とする記載がないので、そのままの状態で水平ルーバの表面側での塵埃除去作業ができても、水平ルーバの裏面側の塵埃除去作業ができない。
【０００６】
本発明は、上記事情に着目してなされたものであり、その目的とするところは、吹出し口に備えられ熱交換空気の吹出し方向を案内する水平ルーバおよび縦ルーバを脱着自在として、メンテナンス作業の容易化による作業効率の向上化を図った空気調和装置を提供しようとするものである。
【課題を解決するための手段】
【０００７】
本発明は上述の目的を満足するためになされたものであり、ユニット本体は吸込み口と吹出し口を備え、吹出し口に水平ルーバを回動自在に支持し、この水平ルーバの両側端部に支軸を設け、吹出し口の一側部に水平ルーバ支軸の一方を脱着自在に支持する軸受け部を設け、吹出し口の他側部に他方の水平ルーバ支軸に連結されて支軸とともに水平ルーバを回動駆動する駆動装置を設け、この駆動装置に対して水平ルーバ支軸は脱着自在に連結される。
【０００８】
さらに本発明は上述の目的を満足するためになされたものであり、ユニット本体は、少なくとも一面が断熱材で囲まれる吹出し口を備えるとともに、内部に熱交換器と、この熱交換器の下部にドレン受けが配置され、吹出し口に水平ルーバおよび縦ルーバを具備し、ドレン受けに水平ルーバ支持具を取付け、この水平ルーバ支持具に水平ルーバを回動自在に支持し、水平ルーバ支持具は、吹出し口の一面である断熱材を支持する支持用台座と、この支持用台座に連設され断熱材に挿入される挿入部を有する。
【発明の効果】
【０００９】
本発明によれば、吹出し口に備えられ熱交換空気の吹出し方向を案内する水平ルーバおよび縦ルーバを脱着自在として、メンテナンス作業の容易化による作業効率の向上化を得るという効果を奏する。
【発明を実施するための最良の形態】
【００１０】
以下、図面を参照して本発明に係る空気調和装置の実施の形態について説明する。  
図１は空気調和装置を構成する室内ユニットの全体斜視図、図２は室内ユニットの断面図、図３は室内ユニットの内部構造を示す底面図、図４は室内ユニットの分解した斜視図である。
【００１１】
図中１はユニット本体であり、図示しない天井から吊り下げられた吊りボルトに引掛けられ天井面に極く近接した状態で取付けられる。このユニット本体１は、厚さ方向（高さ方向）寸法と比較して幅方向（水平方向）寸法が極めて大であることが特徴の一つとなっている。  
ユニット本体１は、下面を構成する底板部１ａと、吊り下げられた状態で天井と近接する上面を構成する天板部１ｂと、これら底板部１ａと天板部１ｂとを連結する左右一対の側板部１ｃおよび背面部１ｄとから構成される。上記側板部１ｃのみサイドカバー１ｅで覆われる。
【００１２】
底板部１ａには、底板部１ａの幅方向とは直交する前後方向の略半分程度の位置で、幅方向に沿いグリル１０とフィルタ１１が着脱自在に嵌め込まれる吸込み口２が設けられる。背面部１ｄと相対向する前面部は、水平ルーバ１３が開閉自在に取付けられた吹出し口３となっていて、この吹出し口３における水平ルーバ１３のさらに奥部には縦ルーバ１２が回動自在に取付けられている。  
特に図４に示すように、上記水平ルーバ１３は吹出し口３の幅方向寸法と略同一の長手方向寸法に形成される１枚のものであるのに対して、上記縦ルーバ１２は所定間隔を存して複数枚備えられるが、ここでは吹出し口３の幅方向寸法に亘って複数（３つ）の縦ルーバユニットＹに分割構成されている。なお、水平ルーバ１３と縦ルーバ１２のユニット本体１に対する取付け支持構造については後述する。
【００１３】
ユニット本体１内部には仕切り板６が設けられる。この仕切り板６は、先に説明したグリル１０が嵌め込まれる吸込み口２の一側縁に沿って立設され、ユニット本体１の天板部１ｂに当接するように延出される。また、仕切り板６はユニット本体１を構成する左右の側板部１ｃに当接するように延出されるところから、ユニット本体１内は仕切り板６によって前後方向に二室Ａ，Ｂに区画されることになる。  
ユニット本体１内部は仕切り板６を挟んで吸込み口２側に、送風装置Ｓおよび送風装置Ｓを駆動制御する電気部品箱Ｄ等が配置収容される送風室Ａと、吹出し口３側に室内熱交換器５が収容配置される熱交換室Ｂが形成されている。
【００１４】
上記送風装置Ｓは、天板部１ｂに取付けられるモータ固定装置１６に固定支持され、両側面から回転軸１７が突出する、いわゆる二軸モータであるファンモータ１５を備えている。なお、一方の回転軸１７には図示しないカップリングを介して連結軸が連結され、一体化された長尺状の回転軸となっている。  
送風装置Ｓは、ファンモータ１５のそれぞれの回転軸１７に嵌着される送風ファン４および、この送風ファン４に対して軸方向を除いて囲撓するファンケース１４とから構成される。
【００１５】
上記ファンモータ１５はユニット本体１の長手方向中央部から一方向にずれた位置に配置され、この一側面から突出する一方の回転軸１７に１個の送風ファン４が取付けられる。ファンモータ１５の他側面から突出する一体化された長尺状の回転軸１７には、所定間隔を存して複数（ここでは３個）の送風ファン４が取付けられる。  
上記送風ファン４はいわゆる多翼ファンが用いられていて、回転にともなって軸方向から吸込んだ空気を周方向へ吹出すタイプのものである。長尺状の回転軸１７は、軸受け具１８によって軸支される。上記軸受け具１８は、軸受け固定装置１９を介して天板部１ｂに取付けられる。したがって、ユニット本体１が所定部位に取付けられると、ファンモータ１５およびモータ固定装置１６と、軸受け具１８および軸受け固定装置１９は天板部１ｂから吊り下げ状態となる。
【００１６】
上記ファンケース１４の両側面は回転軸１８が貫通するとともに送風ファン４の両側面が露出する開口部が設けられ、送風ファン４の吸込み口体ｎをなす。ファンケース１４の周面には断面矩形状の開口部である吹出し口体ｍが一体に突設され、仕切り板６に設けられる同形状の開口部に嵌め込まれて熱交換室Ｂ側へ突出する。  
上記熱交換室Ｂには、上記室内熱交換器５と、この室内熱交換器５の下部にドレン受け７が配置される。特に図２に示すように、上記室内熱交換器５は、ユニット本体１が上下方向寸法を極力短縮して形成されるため、上記吹出し口３に向かって極く傾いた状態で斜めにして配置される。
【００１７】
上記ドレン受け７は、たとえば厚肉の合成樹脂材から形成されていて、斜めに傾けた室内熱交換器５から冷凍サイクル運転にともなって生成され滴下するドレン水滴の全てを受けられるように、熱交換室Ｂの底面のほとんど全部を占める面積に形成される。ドレン受け７の底部後側端部にはドレンポンプが取付けられ、ドレン受け７に集溜するドレン水を、ドレン受け７に接続するドレンホース（いずれも図示しない）を介して排出するようになっている。
【００１８】
上記熱交換室Ｂ上部には室内熱交換器５の上端部を支持する上部断熱材８が設けられていて、室内熱交換器５の冷凍サイクル作用にともなう発熱（温熱・冷熱）がユニット本体１を形成する天板部１ｂに伝達しないように、上記ドレン受け７と同様、厚肉の断熱材から形成される。  
上部断熱材８はドレン受け７とともに吹出し口３の上面と下面を形成していて、吹出し口３の左右両側面は、特に図４に一部のみ示す側面断熱材９によって形成されている。したがって、吹出し口３の周囲はすべて断熱材によって囲まれることとなる。
【００１９】
つぎに、上記水平ルーバ１３および縦ルーバ１２のユニット本体１に対する取付け支持構造について詳述する。  
図５は吹出し口３と縦ルーバ１２を分解した一部斜視図、図６は縦ルーバ１２を分解した側面図と正面図、図７は水平ルーバ支持具２０を異なる方向から見た斜視図、図８は室内ユニットの吹出し口３とその周辺部分を拡大した断面図、図９は水平ルーバ１３の支持構造と駆動構造の断面図、図１０は水平ルーバ１３を駆動する駆動装置６０を拡大した断面図である。
【００２０】
特に図５に示すように、縦ルーバ１２は複数枚ずつ縦ルーバユニットＹに備えられる。縦ルーバユニットＹにおける全ての縦ルーバ１２に亘って回動バー３４が架け渡され、回動支点部３４ａを介して縦ルーバ１２と回動バー３４とが回動自在に連結される。縦ルーバ１２の基端部は縦ルーバ支持板３０に回動自在に支持されている。したがって、縦ルーバユニットＹにおける任意の縦ルーバ１２を回動付勢することにより、回動バー３４を介して全ての縦ルーバ１２が一斉に、同方向にかつ同一角度で向くことができる。
【００２１】
上記縦ルーバ支持板３０の所定部位には取付け用孔３０ａが設けられている一方で、上記ドレン受け７の前側壁部上端面にはねじ孔からなる固定用孔４２を備えた縦ルーバ受け台４０が取付けられている。この縦ルーバ受け台４０は上記縦ルーバ支持板３０と略同一幅寸法で、かつ同一長さ寸法の帯板状をなす。ここでは図示しないねじである取付け具を取付け用孔３０ａを介して固定用孔４２に螺挿することにより、縦ルーバ支持板３０が縦ルーバ受け台４０に取付け固定される。
【００２２】
縦ルーバ受け台４０自体はドレン受け７と一体成形されるが、所定部位に金属片からなる縦ルーバ固定部４１が上面を露出して埋設される。この縦ルーバ固定部４１に上記固定用孔４２が設けられる。そして、縦ルーバ固定部４１には固定用孔４２の両側に固定リブ受け部４３が設けられている。この固定リブ受け部４３については後述する。  
縦ルーバユニットＹ相互間には、上記水平ルーバ１３を支持する水平ルーバ支持具２０が配置されていて、ドレン受け７前側壁部上端面部位に設けられる設置部４４に取付けられている。設置部４４自体はドレン受け７と一体成形されるが、所定部位に金属片からなる固定部４５が上面を露出して埋設される。ここには、水平ルーバ支持具２０を取付けるための固定用孔４６が設けられる。この水平ルーバ支持具２０についても後述する。
【００２３】
特に図６（Ａ）（Ｂ）に示すように、上記縦ルーバ１２には円筒状であって軸方向に沿う周壁一部が切欠き形成された嵌込み部１２ａが一体に設けられている。さらに縦ルーバ１２には上記回動バー３４の回動支点部３４ａに回動自在に係止する係止部１２ｂが設けられる。  
上記縦ルーバ支持板３０には、その上面に軸部３１が一体に突設されていて、縦ルーバ１２の嵌込み部１２ａが回動自在に嵌込まれる。軸部３１の基端部にはストッパ用突起３１ａが設けられていて、軸部３１に縦ルーバ１２の嵌込み部１２ａが嵌め込まれ縦ルーバ１２を回動した状態で、所定量以上の回動を規制する。縦ルーバ支持板３０の一側端は長手方向に沿って斜めに折曲される設置ガイド３３をなす。縦ルーバ支持板３０の裏面側で上記軸部３１の両側部位には一対の固定リブ３２が一体に突設される。
【００２４】
再び図５に示すように、縦ルーバ支持板３０の設置ガイド３３を奥側にして縦ルーバ受け台４０上に載置することで、縦ルーバ支持板３０に設けられる固定リブ３２が、縦ルーバ受け台４０に設けられる一対の固定リブ受け部４３に掛合する。  
たとえば図５とは逆に、設置ガイド３３を手前側にして縦ルーバ受け台４０上に縦ルーバ支持板３０を載置すると、設置ガイド３３が受け台４０の側縁に沿わなくなり、かつ固定リブ３２が固定リブ受け部４３に掛合しなくなる。すなわち、これらで縦ルーバ支持板３０に対する位置決め手段を構成する。
【００２５】
特に図７（Ａ）（Ｂ）に示すように、水平ルーバ支持具２０が構成される。この下端部には平面視で矩形状の台座である載置固定部２２を備えていて、下端面が開口し上端部が閉塞されたねじ孔からなる固定用孔２２ａが設けられる。載置固定部２２の平面形状は上記ドレン受け７の前壁部上端面に突設される水平ルーバ固定部４５よりも一回り大きく形成されていて、その底面は周縁部２２ｂを残して凹陥状となっている。
【００２６】
載置固定部２２を水平ルーバ固定部４５に載置すると、底面の凹陥形状と水平ルーバ固定部４５の平面形状が一致して、載置固定部２２の周縁部２２ｂが水平ルーバ固定部４５に嵌り込む。この状態で、特に図８に示すように載置固定部２２の固定用孔２２ａが水平ルーバ固定部４５の固定用孔４６に対向するので、ドレン受け７の下面側（組立て時にはユニット本体１を天地逆にして作業するので、上面側となる）から取付け具であるねじを挿入し取付けられる。なお、固定用孔４６は底板部１ａによって遮蔽される。
【００２７】
再び図７（Ａ）（Ｂ）に示すように、水平ルーバ支持具２０は載置固定部２２から板状の支柱部２１が一体に設けられる。支柱部２１は、その周縁と中間部に補強用の辺部が一体に設けられる。水平ルーバ支持具２０が水平ルーバ固定部４５に取付けられた状態でユニット本体１の表面側に突出する突出部２４を有し、この端部にルーバ受け部２４ａが設けられる。上記ルーバ受け部２４ａは円筒状に形成され、その内径は上記水平ルーバ１３の中間部に設けられる支軸５２の直径と略同一である。
【００２８】
支柱部２１の上端部は所定の角度で傾斜する支持用台座２３が一体に形成される。そして、支持用台座２３の上面である支持面２３ａ一部には正面視で矩形状、側面視で上端が凹字状に形成された挿入部２３ｂが一体に形成される。この挿入部２３ｂの上面から所定の深さ寸法のねじ孔２３ｃが設けられる。  
特に図５および図８に示すように、上部断熱材８の一部には平面視で矩形状の孔部８ａが設けられる。水平ルーバ支持具２０の挿入部２３ｂは孔部８ａに挿入され、挿入部２３ｂの上端一部は上部断熱材８上面から突出する。天板部１ｂには挿入部２３ｂに嵌め込まれる凹部８０が一体に成形されていて、この凹部８０に取付け用孔が設けられる。ねじである取付け具Ｎが凹部８０の取付け用孔を介して挿入部２３ｂに設けられるねじ孔２３ｃにねじ込まれ、天板部１ｂに対して上部断熱材８と水平ルーバ支持具２０の支持用台座２３とが一体に取付け固定されている。この状態で、特に図８に示すように上部断熱材８内面の傾斜と固定用台座２３の傾斜が一致し、かつ同一面となるよう設計製作される。
【００２９】
上記水平ルーバ１３は、特に図９に示すようにして取付けられる。すなわち、水平ルーバ１３の裏面側でかつ左右両側部と中間部の所定部位には、水平ルーバ１３の曲面に沿って支軸受け５１が密着固定されている。この支軸受け５１は水平ルーバ１３の裏面側に突出する三角状の突片５１ａが一体に設けられ、三角状突片５１ａの頂部に支軸５２が一体に突設されている。
【００３０】
それぞれの支軸５２は水平ルーバ１３の面方向と平行に突出していて、中間部の支軸５２は、先に図７（Ａ）（Ｂ）で説明した水平ルーバ支持具２０のルーバ受け部２４ａに挿入される。一側部の支軸５２は、側面断熱材９と側板部１ｃに嵌め込まれる軸受け部７０に挿入される。他側部の支軸５２は、後述する水平ルーバ駆動装置６０に嵌め込まれる。全ての支軸５２は各種の軸受け部２４ａ，７０，６０に対して、後述するように挿脱自在となっている。
【００３１】
上記水平ルーバ駆動装置６０は、特に図１０に示すように側板部１ｃの所定部位に図示しない取付け具を介して取付け固定される。表面一部に駆動モータ６１が取付けられる第１のケース６０ａと、側板部１ｃの面に密接する第２のケース６０ｂとが組合わされ、これら第１のケース６０ａと第２のケース６０ｂ内に上記駆動モータ６１の回転駆動力を水平ルーバ支軸５２に伝達する駆動機構が収容される。
【００３２】
第２のケース６０ｂにはルーバ受け部６６が一体に突設され、側板部１ｃおよび側面断熱材９に貫通して設けられる孔部６７に挿入される。そして、このルーバ受け部６６には上記水平ルーバ１３と一体加工された支軸５２が挿脱自在に挿入している。  
上記駆動モータ６１の回転軸６１ａは第１のケース６０ａと第２のケース６０ｂが組合わされる内部に挿入され、第２のケース６０ｂに一端を軸支された第１の歯車６２が嵌着固定される。第１のケース６０ａと第２のケース６０ｂに両端部を軸支された固定軸６４が嵌着固定されていて、この固定軸６４には第２の歯車６３が回転自在に支持され、第２の歯車６３と第１の歯車６２とは互いに噛合している。なお、第２の歯車６３には第１の歯車６２と噛合する歯部と、後述する第３の歯車６５と噛合する歯部を備えている。
【００３３】
第２のケース６０ｂにおける先に説明したルーバ受け部６６は第１のケース６０ａ側へも突出していて、この突出部分と第１のケース６０ａの対向部に亘って第３の歯車６５の軸部が軸支されている。第３の歯車６５は略扇状をなしていて、その要部に軸部があり、円弧状部分に歯部が形成されて第２の歯車６３における一方の歯部に噛合している。
【００３４】
第３の歯車６５の軸部は軸心に沿って孔部が形成されていて、ここに水平ルーバ１３の支軸５２の先端に一体成形される回転伝達部５３が嵌め込まれる。これら回転伝達部５３と第３の歯車６５に設けられる孔部の断面形状は、互いに矩形状もしくは多角形状であり、第３の歯車６５の回動力が水平ルーバ１３の支軸５２に確実に伝達する形状構造をなしているとともに挿脱自在となっている。
【００３５】
このようにして全ての構成部品の組立てが終了し、製品として据付けられ、冷凍サイクル運転を行うとともに送風装置Ｓが駆動されると、室内空気が吸込み口２から吸込まれ送風室Ａと仕切り板６を介して熱交換室Ｂの室内熱交換器５へ吹付けられる。室内空気は室内熱交換器５を通過する際に熱交換し、縦ルーバ１２と水平ルーバ１３に案内されて吹出し口３から室内へ吹出される。このことから、室内の冷房作用もしくは暖房作用を得られる。
【００３６】
運転開始信号を受けると水平ルーバ駆動装置６０に駆動信号が入って駆動モータ６１が駆動される。モータ回転軸６１ａが回転し、ここに嵌め込まれる第１の歯車６２がともに回転する。第１の歯車６２に噛合する第２の歯車６３が従動回転して、第３の歯車６５を回動付勢する。第３の歯車６５の回動力は回転伝達部５３に伝達され、これと一体の支軸５２および水平ルーバ１３の回動となる。水平ルーバ１３は図１、図２および図８に示す吹出し口３の閉成位置から所定角度回動して、吹出し口３を開放する。駆動信号によっては、水平ルーバ１３は回動位置に固定され、もしくは所定範囲で揺動を継続する。
【００３７】
縦ルーバ１２は、縦ルーバユニットＹ毎に吹出し案内方向が設定される。すなわち、先に説明したように縦ルーバユニットＹを構成する任意の縦ルーバ１２を任意方向に向ければ、回動バー３４を介して全ての縦ルーバ１２がその方向に向き、変更設定をしない限り固定される。  
なお、縦ルーバユニットＹを構成する縦ルーバ支持板３０に、縦ルーバ１２の嵌め込み部１２ａが嵌め込まれる軸部３１を設けるとともに、この軸部３１基端にストッパ用突起３１ａを設けたから、縦ルーバ１２の所定量以上の回動をストッパ用突起３１ａが規制して風向案内方向を所定の範囲内に設定することができる。
【００３８】
長期の使用に亘ると吹出し口３周面と水平ルーバ１３および縦ルーバ１２に塵埃が付着して自然的に剥離しなくなる。そこで、吹出し口３周面と水平ルーバ１３および縦ルーバ１２に付着する塵埃を払拭除去するメンテナンス作業を行う。ユニット本体１は取外しが容易ではないのでそのままとし、水平ルーバ１３と縦ルーバ１２はユニット本体１から取り出して、低所で作業を行えば安全であり、かつ容易にできる。
【００３９】
水平ルーバ１３の取外しは、以下に述べるようにして行う。  
すなわち、水平ルーバ１３は薄い合成樹脂材の板体からなるので、比較的容易に撓み変形する。特に図９に示す水平ルーバ１３の右側端部に形成される支軸５２を水平ルーバ駆動装置６０と側板部１ｃおよび側面断熱材９の孔部６７から抜き出すよう水平ルーバ１３を撓み変形させる。
【００４０】
この状態を保持して水平ルーバ１３を図の右方向に移動して、中間部にある支軸５２を水平ルーバ支持具２０のルーバ受け部２４ａから抜き出し、同時に水平ルーバ１３の左側端部に形成される支軸５２を軸受け部７０から抜き出す。このことにより水平ルーバ１３は完全に自由状態となり、低所に降ろして塵埃の払拭作業を行う。
【００４１】
つぎに、縦ルーバ１２の取外しを行うために、特に図５に示す縦ルーバ支持板３０の取付け用孔３０ａに螺挿されている取付け具を取外す。縦ルーバユニットＹを構成する縦ルーバ支持板３０が縦ルーバ受け台４０から分離するが、この縦ルーバ支持板３０には各縦ルーバ１２が取付けられた状態であることには変わりがない。したがって、縦ルーバ支持板３０を低所に降ろして塵埃の払拭作業を行う。  
このようにして吹出し口３から水平ルーバ１２と縦ルーバ１２を備えた縦ルーバ支持板３０を取外ししたので、吹出し口３には水平ルーバ支持具２０が残るだけであり、吹出し口３周部に付着する塵埃の除去作業を比較的容易に行うことができる。
【００４２】
作業終了後は上述の取外しの作業とは逆の手順をもって行えばよい。特に縦ルーバ支持板３０の取付けにあたって、間違えて図５に示す状態とは前後逆の向き（回動バー３４を手前側）にしてルーバ受け台４０に取付けようとしても、縦ルーバ支持板３０の設置ガイド３３がルーバ受け台４０の端縁に沿わず、かつ縦ルーバ支持板３０の底面に設けられる固定リブ３２がルーバ受け台４０の固定リブ受け部４３に嵌り込まず、取付けることができない。したがって、縦ルーバ支持板３０を正規の向きにして確実に縦ルーバ受け台４０に取付けることができる。
【００４３】
水平ルーバ駆動装置６０を一体ユニット化した。すなわち、第１のケース６０ａと第２のケース６０ｂとを組合せ、第１のケース６０ａ表面に駆動モータ６１を取付け、第２のケース６０ｂに水平ルーバ１３の支軸部５２を受けるルーバ受け部６６を設けた。第１のケース６０ａと第２のケース６０ｂ内で駆動モータ６１とルーバ受け部６６との間に駆動機構一式を収容している。したがって、水平ルーバ駆動装置６０のユニット本体１に対する取付けが容易となって作業性の向上化を図れる。
【００４４】
水平ルーバ１３を支持する水平ルーバ支持具２０は、その上端部に支持用台座２３を備えて上部断熱材８を支持する。しかも、支持用台座２３に挿入部２３ｂを設けて上部断熱材８の孔部８ａに挿入するようにしたので、水平ルーバ支持具２０は上部断熱材８の位置決めをなしたうえで、これを確実に支持固定できる。上部断熱材８と支持用台座２３ｂを面一状にして突出部を無くしたので、吹出し口３における通風抵抗を抑制でき、吹出し口３に対する清掃性の向上を得られる。  
なお、本発明の水平ルーバ１３と縦ルーバ１２の取付け支持構造は上述の構成に限定されるものではなく、本発明の趣旨を越えない範囲内で種々変形実施が可能であり、本発明はこれらの全てを包含するものである。
【図面の簡単な説明】
【００４５】
【図１】本発明の一実施の形態に係る、空気調和装置を構成する室内ユニットの斜視図。
【図２】同実施の形態に係る、室内ユニットの断面図。
【図３】同実施の形態に係る、室内ユニットの内部構造の底面図。
【図４】同実施の形態に係る、室内ユニットの分解した斜視図。
【図５】同実施の形態に係る、室内ユニット一部の分解した斜視図。
【図６】同実施の形態に係る、縦ルーバとその支持構造の正面図と側面図。
【図７】同実施の形態に係る、水平ルーバ支持具の異なる方向から見た斜視図。
【図８】同実施の形態に係る、吹出し口とその周辺部の断面図。
【図９】同実施の形態に係る、水平ルーバの支持構造の断面図。
【図１０】同実施の形態に係る、水平ルーバ駆動装置の断面図。
【符号の説明】
【００４６】
２…吸込み口、３…吹出し口、１…ユニット本体、１３…水平ルーバ、５２…支軸、７０…軸受け部、６０…駆動装置、５…室内熱交換器、６０ａ…第１のケース、６０ｂ…第２のケース、６２…第１の歯車、６３…第２の歯車、６５…第３の歯車、６１…駆動モータ、８…上部断熱材、５…室内熱交換器、７…ドレン受け、１２…縦ルーバ、２０…水平ルーバ支持具、２３…支持用台座、２３ｂ…挿入部、３０…縦ルーバ支持板、３２…固定リブ、３３…設置ガイド、４３…固定リブ受け部。
【図１】
2005164075.tif 000003
【図２】
2005164075.tif 000004
【図３】
2005164075.tif 000005
【図４】
2005164075.tif 000006
【図５】
2005164075.tif 000007
【図６】
2005164075.tif 000008
【図７】
2005164075.tif 000009
【図８】
2005164075.tif 000010
【図９】
2005164075.tif 000011
【図１０】
2005164075.tif 000012